(57)【要約】  本発明は、移動体通信技術の分野に関し、特にクロストークシナリオにおける非アクティブ化方法及びシステムに関する。電話局端のＭ個のトランシーバは、Ｍ本のラインを使用することによりデータを送信する。当該方法は、Ｍ個のトランシーバがデータ伝送showtime状態にある場合に、もしトリガ状態変更イベントが検出されるならば、Ｍ本のラインのうちのＮ本のラインを非アクティブ化するために、Ｎ個のトランシーバにより、非アクティブ化実行状態に切り替わるステップと、アクティブラインの間のクロストークキャンセル係数を更新するために使用される更新係数を獲得し、更新係数を使用することによりアクティブラインの間のクロストークキャンセル係数を更新するとともに、非アクティブ化実行状態におけるトランシーバをサイレント状態又はアイドル状態に入るように制御するステップとを含む。本発明により提供された方法及びシステムによれば、クロストークキャンセル係数は、ラインが非アクティブ化されている処理の間に更新され、それは、強力なクロストークシナリオにおいて、ラインの非アクティブ化が他のアクティブラインの除去できないクロストークをもたらすという問題を回避することができる。
2016532407.tif 000002
【特許請求の範囲】
【請求項１】
クロストークシナリオにおける非アクティブ化方法であって、
電話局端のＭ個のトランシーバがＭ本のラインを使用することによりデータを送信するとともに、キャンセラを使用することにより前記Ｍ本のラインに対してクロストークキャンセルを実行する場合に、当該方法が、
前記Ｍ個のトランシーバがデータ伝送showtime状態にある場合に、もしトリガ状態変更イベントが検出されるならば、前記Ｍ本のラインのうちのＮ本のラインを非アクティブ化するために、Ｎ個のトランシーバにより、非アクティブ化実行状態に切り替わるステップであって、Ｍ及びＮが正の整数である、ステップと、
（Ｍ−Ｎ）本のアクティブラインの間のクロストークキャンセル係数を更新するために使用される更新係数を獲得し、前記更新係数を使用することにより前記（Ｍ−Ｎ）本のアクティブラインの間の前記クロストークキャンセル係数を更新するとともに、非アクティブ化を終了するために、前記非アクティブ化実行状態における前記トランシーバをサイレント状態又はアイドル状態に入るように制御するステップとを含む、方法。
【請求項２】
前記Ｍ本のラインのうちのＮ本のラインを非アクティブ化するために、Ｎ個のトランシーバにより、非アクティブ化実行状態に切り替わる前記ステップが、
前記キャンセラを通過しなかったとともに、前記Ｎ本のラインのうちの各非アクティブ化されたラインに対応するダウンストリーム信号Ｘｄをターンオフし、前記Ｎ個のトランシーバのうちの各トランシーバのアナログフロントエンドを、信号を送信し続けるように制御するステップを含む、請求項１に記載の方法。
【請求項３】
前記Ｍ本のラインのうちのＮ本のラインを非アクティブ化するために、Ｎ個のトランシーバにより、非アクティブ化実行状態に切り替わる前記ステップが、
前記キャンセラを通過しなかったとともに、前記Ｎ本のラインのうちの各非アクティブ化されたラインに対応する信号Ｘｄをターンオフし、同時に、前記Ｎ本のラインのうちの各非アクティブ化されたラインに対応するアナログフロントエンドをターンオフするステップと、
前記（Ｍ−Ｎ）本のアクティブラインのキャンセル信号に対して信号補償を実行し、キャンセル出力信号Ｘａ’を生成するステップとを含む、請求項１に記載の方法。
【請求項４】
Ｎ個のトランシーバにより、非アクティブ化実行状態に切り替わる前記ステップが、
前記Ｎ個のトランシーバのうちの各トランシーバのアナログフロントエンドを、アップストリーム信号を受信し続けるように制御するステップを含む、請求項１に記載の方法。
【請求項５】
前記Ｍ本のラインのうちのＮ本のラインを非アクティブ化するために、Ｎ個のトランシーバにより、非アクティブ化実行状態に切り替わる前記ステップが、
前記Ｎ本のラインのうちの各非アクティブ化されたラインのアナログフロントエンドをターンオフするステップと、
前記（Ｍ−Ｎ）本のアクティブラインのキャンセル信号に対して信号補償を実行し、キャンセル出力信号Ｙａ’を生成するステップとを含む、請求項１に記載の方法。
【請求項６】
前記トリガ状態変更イベントが、
前記ラインを使用することによりデータが伝送される処理において、前記の伝送されたデータのビットエラー量、若しくはビットエラー継続期間が指定されたしきい値を超えること、又は、
状態変更をトリガする命令が検出されること、又は、
ライン割り込み若しくは装置電源オフを含む、請求項１から請求項５のいずれか一項に記載の方法。
【請求項７】
前記トリガ状態変更イベントが、前記ラインの間のクロストークチャネルにおける変化をもたらす非アクティブ化イベントである場合に、前記アクティブラインの間の前記クロストークチャネルが再推定されるとともに、前記アクティブラインの間の前記の再推定されたチャネルを使用することにより前記更新係数が獲得される、請求項６に記載の方法。
【請求項８】
アクティブラインの間のクロストークキャンセル係数を更新するために使用される更新係数を獲得する前記ステップが、
前記非アクティブ化実行状態より前の前記クロストークチャネル、及び／又は前記非アクティブ化実行状態より前の前記クロストークキャンセル係数を使用することにより前記更新係数を獲得するステップを含む、請求項１から請求項７のいずれかに記載の方法。
【請求項９】
前記更新係数を使用することにより前記アクティブラインの間の前記クロストークキャンセル係数を更新するとともに、前記の非アクティブ化されたラインを非作動状態に入るように制御する前記ステップが、
遠端の現在非アクティブ化されたトランシーバを前記サイレント状態又は前記アイドル状態に入るように制御するステップと、
前記更新係数を使用することにより前記アクティブラインの間の前記クロストークキャンセル係数を更新するステップと、
前記電話局端の前記の現在非アクティブ化されたトランシーバを前記サイレント状態又は前記アイドル状態に入るように制御するステップとを含む、請求項１から請求項８のいずれか一項に記載の方法。
【請求項１０】
クロストークシナリオにおける非アクティブ化システムであって、当該システムが電話局端のＭ個のトランシーバと、キャンセラとを備え、データがＭ本のラインを使用することにより送信されるとともに、前記キャンセラを使用することにより前記Ｍ本のラインに対してクロストークキャンセルが実行される場合に、当該システムが、
前記トランシーバがデータ伝送showtime状態にある場合に、もしトリガ状態変更イベントが検出されるならば、前記Ｍ本のラインのうちのＮ本のラインを非アクティブ化するために、Ｎ個のトランシーバが非アクティブ化実行状態に切り替わり、ここでＭ及びＮが正の整数であることと、
前記キャンセラが、（Ｍ−Ｎ）本のアクティブラインの間のクロストークキャンセル係数を更新するために使用される更新係数を獲得し、前記更新係数を使用することにより前記（Ｍ−Ｎ）本のアクティブラインの間の前記クロストークキャンセル係数を更新するとともに、非アクティブ化を終了するために、前記非アクティブ化実行状態における前記トランシーバをサイレント状態又はアイドル状態に入るように制御することとを含む、システム。
【請求項１１】
前記トランシーバが、前記キャンセラを通過しなかったとともに、前記Ｎ本のラインのうちの各非アクティブ化されたラインに対応するダウンストリーム信号Ｘｄをターンオフし、前記Ｎ個のトランシーバのうちの各トランシーバのアナログフロントエンドを、信号を送信し続けるように制御するとともに、前記非アクティブ化実行状態に切り替わる、請求項１０に記載のシステム。
【請求項１２】
前記トランシーバが、前記キャンセラを通過しなかったとともに、前記Ｎ本のラインのうちの各非アクティブ化されたラインに対応する信号Ｘｄをターンオフし、同時に、前記Ｎ本のラインのうちの各非アクティブ化されたラインに対応するアナログフロントエンドをターンオフするとともに、前記非アクティブ化実行状態に切り替わり、
前記キャンセラが、前記（Ｍ−Ｎ）本のアクティブラインのキャンセル信号に対して信号補償を実行し、キャンセル出力信号Ｘａ’を生成するように更に構成される、請求項１０に記載のシステム。
【請求項１３】
前記トランシーバが、前記Ｎ個のトランシーバのうちの各トランシーバのアナログフロントエンドを、アップストリーム信号を受信し続けるように制御するとともに、前記非アクティブ化実行状態に切り替わる、請求項１０に記載のシステム。
【請求項１４】
前記トランシーバが、前記Ｎ本のラインのうちの各非アクティブ化されたラインに対応するアナログフロントエンドをターンオフするとともに、前記非アクティブ化実行状態に切り替わり、
前記キャンセラが、前記（Ｍ−Ｎ）本のアクティブラインのキャンセル信号に対して信号補償を実行し、キャンセル出力信号Ｙａ’を生成するように更に構成される、請求項１０に記載のシステム。
【請求項１５】
前記キャンセラが、前記非アクティブ化実行状態より前のクロストークチャネル、及び／又は前記非アクティブ化実行状態より前の前記クロストークキャンセル係数を使用することにより前記更新係数を獲得するように更に構成される、請求項１１から請求項１４のいずれか一項に記載のシステム。
【発明の詳細な説明】
【技術分野】
【０００１】
本発明は、移動体通信技術の分野に関し、特にクロストークシナリオにおける非アクティブ化方法及びシステムに関する。
【背景技術】
【０００２】
デジタル加入者回線（Digital  Subscriber  Line、ＤＳＬ）は、伝送のために電話ツイストペアを使用する高速データ通信技術である。Ｇ．ｆａｓｔは、最新のＤＳＬ技術であり、同様にギガビットＤＳＬと言われる。その技術は、１００Ｍ、又は、さらに２００Ｍの高い周波数帯域を使用する。高い周波数帯域では、非常に深刻なクロストーク問題が存在し、そして解決される必要がある。クロストークは、近端クロストーク（Near-End  Crosstalk、ＮＥＸＴ）、及び遠端クロストーク（Far-End  Crosstalk、ＦＥＸＴ）を含む。
【０００３】
Ｇ．ｆａｓｔは、時分割多重化（Time  Division  Multiplexing、ＴＤＤ）技術を使用し、それにより、アップストリーム及びダウンストリームの信号は、ＮＥＸＴの影響を排除するように異なる時点で送信されるとともに、ＦＥＸＴの影響を排除するようにベクタリング（Vectoring）技術を使用する。
【０００４】
Vectoringシステムは、電話局ＣＯ端（又はＤＰＵ端、ここで、ＤＰＵは分配点ユニットの省略形であり、電話局端及びＤＰＵ端は、これ以降集合的に電話局端と言われる）と、遠端とを含む。電話局端は、複数（Ｍ個）のトランシーバを含む。遠端は、複数（Ｍ個）の対応するトランシーバを含む。ダウンストリーム伝送の間、電話局端のＭ個のトランシーバは送信端として使用され、遠端のＭ個のトランシーバは受信端として使用されるとともに、各送信端は１つの受信端に対応する。
【０００５】
ダウンストリーム方向において、各ＣＯ端のトランシーバにより送信される信号は、ＩＦＦＴモジュールより前のPrecoderを通過する。大部分のＤＳＬは、離散マルチトーン（ＤＭＴ）変調技術を使用し、そして最大Ｋ個のサブキャリアを使用する。したがって、Precoderを通過しなかった各局端トランシーバ（ｍ番目の局端トランシーバ）の信号はｘｍであり、それはＫ個のサブキャリアを含むシーケンスになる。ｋ番目（ｋ＝１からＫ）のサブキャリアにおけるｍ番目（ｍ＝１からＭ）のトランシーバにより送信されるとともに、precoderを通過しなかった信号は、
【数１】
2016532407.tif 000003
で示され、ｋ番目のサブキャリアにおけるｍ番目のトランシーバにより送信されるとともに、precoderを通過した信号は、
【数２】
2016532407.tif 000004
で示される。ｋ番目のサブキャリアにおける全てのＭ個のトランシーバにより送信されるとともに、precoderを通過しなかった信号は、ｘｋで示され、ｋ番目のサブキャリアにおける全てのＭ個のトランシーバにより送信されるとともに、precoderを通過した信号は、ｘ'ｋで示され、ここでｘｋ及びｘ'ｋは、両方とも、Ｍ個の行と１つの列を有するベクトルであり、ｘｋのｍ番目の要素とｘ'ｋのｍ番目の要素は、それぞれ、
【数３】
2016532407.tif 000005
と、
【数４】
2016532407.tif 000006
である。
【０００６】
したがって、ｋ番目のサブキャリアにおいて、ダウンストリームの信号伝送処理は、下記のマトリクスの形式：ｘ'ｋ＝Ｐｋ・ｘｋで表されることができ、ｋ番目のサブキャリアにおいて、Ｍ本のツイストペアの受信信号ベクトルｙｋは、下記のマトリクスの形式：ｙｋ＝Ｆｅｑｋ・（Ｈｋ・Ｐｋ・ｘｋ＋γｋ）で表されることができ、Ｆｅｑｋ・Ｈｋ・ＰｋがＭ×Ｍの単位マトリクスＩＭに等しい場合に、全てのクロストークがキャンセルされ（各ラインの受信信号は、ラインの信号とだけ関係があり、別の信号とは無関係である）、ここで、Ｐｋは、ｋ番目のサブキャリアにおけるプリコーディングマトリクスであり、Ｍ×Ｍのサイズを有し、プリコーディングマトリクスの機能を実施するモジュールはプリコーダであり、そしてそのモジュールは同様にVectoringシステムの機能を実施するモジュールであり、Ｈｋは、ｋ番目のサブキャリアにおけるＭ本のツイストペアに関するチャネルマトリクスであり、マトリクスのサイズはＭ×Ｍであり、Ｆｅｑｋは、ｋ番目のサブキャリアにおけるＭ本のツイストペアに関するＦＥＱマトリクスであり、そのマトリクスは、Ｍ×Ｍのサイズを有するとともに、対角線マトリクスであり、ＦＥＱの機能は、受信信号を送信信号に復元することであり、ダウンストリームＦＥＱは、受信端のトランシーバｘＴＵ−Ｒに実装され、Ｆｅｑｋの理論値は、Ｈｋの対角線の逆数であり、γｋは、ｋ番目のサブキャリアにおけるＭ個の受信機のノイズベクトルであり、ベクトルのサイズはＭ×１である。
【０００７】
アップストリーム方向において、受信信号ベクトルＹがキャンセルマトリクスを使用することにより処理された後で、キャンセルを通過した受信信号Ｙ’が生成される。式はｙ'ｋ＝Ｆｅｑｋ・Ｗｋ・（Ｈｋ・ｘｋ＋γｋ）のように表されることができ、ここで、Ｗｋはアップストリームクロストークキャンセルマトリクスである。
【０００８】
現行のシステムにおいてプリコーディングマトリクスを獲得する方法は下記のようになる。パイロットトレーニング信号がSync  Symbolによって送信されるとともに、ベクタリング制御エンティティ（Vectoring  Control  Entity、ＶＣＥ）は、パイロットを使用することにより、チャネルマトリクスＨｋ又は正規化されたチャネルマトリクスＨｅｑｋ（正規化されたチャネルマトリクスＨｅｑｋは、Ｆｅｑｋ・Ｈｋに等しいとともに、対角線が全て１に等しいマトリクスである）を推定する。Ｈｋ及びＨｅｑｋは、集合的にチャネルマトリクスと言われる。送信端におけるＴＵ（Transceiver  Unit、トランシーバユニット）によりsync  symbolで送信される信号は、通常、直交するパイロットシーケンス（Pilot  Sequence、ＰＳ）信号である。一方、受信端におけるＴＵは、エラーサンプル（Error  Sample、ＥＳ）を受信する。チャネルマトリクスＨｅｑｋは、ＥＳ及びＰＳを使用することにより推定され得る。チャネルマトリクスＨｅｑｋがトレーニングを通して獲得された後で、
【数５】
2016532407.tif 000007
であるキャンセルマトリクスＰ又はＷが、逆転又は近似逆転の方法を使用することにより獲得される。キャンセルマトリクスを計算するモジュールは、ＶＣＥである。
【０００９】
Ｇ．ｆａｓｔのデータシンボル（Data  Symbol）及び同期化シンボル（Sync  Symbol）に関する説明は下記のとおりである。
【００１０】
Ｇ．ｆａｓｔのデータ伝送単位は、Symbol、TDD  Frame、及びSuperFrameを含む。Ｇ．ｆａｓｔでは、送信は、アップストリーム−ダウンストリーム時分割方法において実行される。各TDD  Frameは、３６個のSymbolの長さを有し、そのうちの３５個のデータSymbolは時分割方法でアップストリーム及びダウンストリームのデータを送信するために使用される。したがって、合計で３５個のアップストリーム及びダウンストリームのSymbolが存在する。各TDD  Frameにおいて、前半の部分はダウンストリームSymbolを送信するために使用され、そして、後半の部分はアップストリームSymbolを送信するために使用される。他のSymbolは、アップストリーム送信とダウンストリーム送信との間のギャップであり、信号を送信するために使用されない。８個のTDD  Frameが１つのスーパフレームを形成する。したがって、１つのスーパフレームは、２８８個のSymbolの長さを有し、その中には２８０個の信号Symbolが存在する。２８０個の信号symbolの中には、１つのアップストリームsync  symbol及び１つのダウンストリームsync  symbolが存在し、そこでＰＳ又はＯＬＲ制御信号だけは変調され、他の２７８個の信号symbolは、data  symbolであり、ユーザデータを伝送するために使用される。
【００１１】
環境保護と遠隔電源のエネルギー消費条件を考慮すると、トランシーバの電力消費は、できる限り削減される必要がある。現在、ＤＳＬの分野には、電力削減のための中断モード（Discontinue  Mode  for  Power  Saving、ＤＭＰＳ）技術が存在する。技術の主な解決法は、サービスデータが存在しない場合に、デジタルフロントエンド（Digital  Front  End、ＤＦＥ）処理モジュール、アナログフロントエンド（Analog  Front  End、ＡＦＥ）処理モジュールなどがターンオフされる、というものである。例えば、デジタルフロントエンドＤＦＥ処理モジュールは、フーリエ変換ＦＦＴモジュール又は逆フーリエ変換ＩＦＦＴモジュールである。例えば、アナログフロントエンドＡＦＥ処理モジュールは、デジタル−アナログ変換ＡＤＣ／ＤＡＣモジュール又はラインドライバモジュールである。これらのモジュールに動作するのを止めさせることは、システムのエネルギー消費を非常に削減することができる。
【００１２】
いくつかのラインのアナログフロントエンドをターンオフすることは、ラインのダウンストリームプリコーディングの出力信号をゼロに設定すること、又はアップストリームキャンセラの入力信号をゼロに設定することに相当する。ゼロに設定することは、Vectorキャンセル効果に対して深刻な影響を与える。実例は、下記のとおりである。
【００１３】
通常の伝送の間、プリコーダを含む全体のチャネルは、３つのマトリクスの積Ｆｅｑｋ・Ｈｋ・Ｐｋになる。その積は、単位マトリクスになる。したがって、クロストークは完全にキャンセルされる。
【００１４】
もしいくつかのラインのアナログエンドの信号が急にターンオフされるならば、それは、Ｐｋにおけるターンオフされたラインに対応する行をゼロに設定することに相当する。ターンオフされたラインの指数のセットがｄ（deactive）であり、ターンオフされていないラインの指数のセットがａ（active）であると仮定すると、ターンオフ後のチャネルは、
【数６】
2016532407.tif 000008
であり、ここで、Ｐｋａはプリコーディングマトリクス内に存在するとともにアクティブラインに対応する行であり、Ｐｋｄはプリコーディングマトリクス内に存在するとともにターンオフされたラインに対応する行である。
【００１５】
ｄセットのラインがオフにされた後で、最終のライン上で生成されるエラー（単位マトリクスＩと比較した差異）は、
【数７】
2016532407.tif 000009
になる。そのエラーは、対角線マトリクスではなく、そして、比較的深刻な除去できないクロストークを生成し得るとともに、全てのアクティブラインの性能に影響を及ぼし得る。
【００１６】
従来技術において、除去できないクロストークの問題を解決する１つの方法は、アクティブラインのインデックスに従って、アクティブラインのサブマトリクスの逆行列を計算することである。具体的な実施は下記のようになる。
【００１７】
全体のチャネルマトリクスＨの逆行列Ｐが、
【数８】
2016532407.tif 000010
のように表されると仮定すると、Ｈのａ−インデックスのサブマトリクスの逆は、
【数９】
2016532407.tif 000011
のように表され得る。
【００１８】
正確な計算方法は、サブマトリクスＰｄｄに対して実行された逆転を必要とする。Ｇ．ｆａｓｔのシンボルレートは４８ｋＨｚであり、そして各シンボルは２１マイクロ秒だけを有する。したがって、２１マイクロ秒で逆転計算を完了することはほとんど不可能である。
【００１９】
さらに、逆転計算を回避するために、いくつかの同様の信号補償法が従来技術において提供される。一例は、下記のとおりである。
【００２０】
正確な補償の理論上の式は下記のとおりであるが、しかし、正確な補償は、逆転の複雑性問題を有している。
【数１０】
2016532407.tif 000012
【００２１】
問題を回避するために、Ｐｄｄの逆転操作に対して近似が下記のように実行されることができ、
【数１１】
2016532407.tif 000013
ここで、Ｄｄｄは、Ｐｄｄの対角線要素だけを含む対角線行列であり、Ｂｄｄは、Ｐｄｄの非対角線要素だけを含む行列であり、その対角線は０である。Ｄｄｄは、対角線行列である。したがって、逆転は、対角線要素の逆数を単に計算しており、非常に小さな量の計算を必要とし、そしてその計算は前もって完了されることができる。したがって、下記の式を使用することによる近似の補償は、多量の計算を必要とせず、そして基本的に完了されることができる。
【数１２】
2016532407.tif 000014
【００２２】
低電力送信状態では、電力を削減するために、トランシーバは可能ならいつでもターンオフされることが必要とされる。したがって、もしポートが非アクティブ化される必要があるならば、トランシーバのアナログフロントエンドは、同様にできる限り早くターンオフされる必要がある。
【００２３】
現存するＶＤＳＬ２Vectoringシステムでは、非アクティブ化の間、Vectoring係数は更新される必要がない。
【００２４】
ラインがアクティブ状態Ｌ０／Ｌ２からＬ３状態に変わる非アクティブ化処理では、２つの側のトランシーバは、ネゴシエーションの後で状態の切り替えを実行する。
【００２５】
しかし、現存する非アクティブ化処理は、弱いクロストークシナリオ、すなわちチャネルマトリクスＨが完全に対角線的に支配的である（Ｈの非対角線要素が対角線要素よりはるかに少ない）シナリオだけに適用できる。現在のVectoringシステムには合計でｍ本のラインが存在し、その中で、ａ本のラインがアクティブな状態を維持し、ｄ本のラインが非アクティブ化される、ということが仮定される。
【００２６】
したがって、非アクティブ化の前に、ａ本のラインの信号は、ｄ本のラインを使用することにより送信される。式は、
【数１３】
2016532407.tif 000015
のように表される。
【００２７】
非アクティブ化の後で、ｄ本のラインのアナログフロントエンドはターンオフされ、ｄ本のラインのプリコード化された信号Ｘｄ’は、送信されることができない。したがって、いくつかの信号は送信されることができない（信号Ｐｄａ・Ｘａは、プリコーダＰを通過するとともに、ｄにより送信されるａ本のラインの信号のことを指す）。信号Ｐｄａ・Ｘａが送信されないので、ラインの間のクロストークは完全にキャンセルされず、したがって、ａ本のラインの性能は減らされる。
【００２８】
ＶＤＳＬ２シナリオにおいて、クロストークは比較的弱く、そしてＨは対角線的に強く支配的である。したがって、Ｐは、同様に、対角線的に強く支配的である。Ｐｄａの振幅は、それらのエラーが無視されることができるほど小さい。非常に高周波のＤＳＬでは、クロストークは非常に強く、Ｐｄａの振幅は明らかに増加するとともに、エラーは無視できず、それは、深刻な性能劣化の原因になる。同様に、ｄ個のアナログエンドをターンオフすることは、結果的に、アップストリーム信号のターンオフをもたらし得るとともに、ラインの間の除去できないクロストークの原因になり得る。
【発明の概要】
【００２９】
本発明の実施例は、クロストークシナリオにおける非アクティブ化方法及びシステムを提供し、強力なクロストークシナリオにおいて、ラインの非アクティブ化が他のアクティブラインの除去できないクロストークをもたらす、という従来技術における問題を解決する。
【００３０】
第１の態様によれば、本発明は、クロストークシナリオにおける非アクティブ化方法であって、電話局端のＭ個のトランシーバがＭ本のラインを使用することによりデータを送信するとともに、キャンセラを使用することにより前記Ｍ本のラインに対してクロストークキャンセルを実行する場合に、当該方法が、前記Ｍ個のトランシーバがデータ伝送showtime状態にある場合に、もしトリガ状態変更イベントが検出されるならば、前記Ｍ本のラインのうちのＮ本のラインを非アクティブ化するために、Ｎ個のトランシーバにより、非アクティブ化実行状態に切り替わるステップであって、Ｍ及びＮが正の整数である、ステップと、（Ｍ−Ｎ）本のアクティブラインの間のクロストークキャンセル係数を更新するために使用される更新係数を獲得し、前記更新係数を使用することにより前記（Ｍ−Ｎ）本のアクティブラインの間の前記クロストークキャンセル係数を更新するとともに、非アクティブ化を終了するために、前記非アクティブ化実行状態における前記トランシーバをサイレント状態又はアイドル状態に入るように制御するステップとを含む、クロストークシナリオにおける非アクティブ化方法を提供する。
【００３１】
第１の態様に関連して、第１の可能な実施方法において、前記Ｍ本のラインのうちのＮ本のラインを非アクティブ化するために、Ｎ個のトランシーバにより、非アクティブ化実行状態に切り替わる前記ステップは、前記キャンセラを通過しなかったとともに、前記Ｎ本のラインのうちの各非アクティブ化されたラインに対応するダウンストリーム信号Ｘｄをターンオフし、前記Ｎ個のトランシーバのうちの各トランシーバのアナログフロントエンドを、情報を送信し続けるように制御するステップを含む。
【００３２】
第１の態様に関連して、第２の可能な実施方法において、前記Ｍ本のラインのうちのＮ本のラインを非アクティブ化するために、Ｎ個のトランシーバにより、非アクティブ化実行状態に切り替わる前記ステップは、前記キャンセラを通過しなかったとともに、前記Ｎ本のラインのうちの各非アクティブ化されたラインに対応する信号Ｘｄをターンオフし、同時に、前記Ｎ本のラインのうちの各非アクティブ化されたラインに対応するアナログフロントエンドをターンオフするステップと、前記（Ｍ−Ｎ）本のアクティブラインのキャンセル信号に対して信号補償を実行し、キャンセル出力信号Ｘａ’を生成するステップとを含む。
【００３３】
第１の態様に関連して、第３の可能な実施方法において、Ｎ個のトランシーバにより、非アクティブ化実行状態に切り替わる前記ステップは、前記Ｎ個のトランシーバのうちの各トランシーバのアナログフロントエンドを、アップストリーム信号を受信し続けるように制御するステップを含む。
【００３４】
第１の態様に関連して、第４の可能な実施方法において、前記Ｍ本のラインのうちのＮ本のラインを非アクティブ化するために、Ｎ個のトランシーバにより、非アクティブ化実行状態に切り替わる前記ステップは、前記Ｎ本のラインのうちの各非アクティブ化されたラインのアナログフロントエンドをターンオフするステップと、前記（Ｍ−Ｎ）本のアクティブラインのキャンセル信号に対して信号補償を実行し、キャンセル出力信号Ｙａ’を生成するステップとを含む。
【００３５】
第１の態様から第１の態様の第４の可能な実施方法に関連して、第５の可能な実施方法において、前記トリガ状態変更イベントは、前記ラインを使用することによりデータが伝送される処理において、前記の伝送されたデータのビットエラー量、若しくはビットエラー継続期間が指定されたしきい値を超えること、又は、状態変更をトリガする命令が検出されること、又は、ライン割り込み若しくは装置電源オフを含む。
【００３６】
第１の態様の第５の可能な実施方法に関連して、第６の可能な実施方法において、前記トリガ状態変更イベントが、前記ラインの間のクロストークチャネルにおける変化をもたらす非アクティブ化イベントである場合に、前記アクティブラインの間の前記クロストークチャネルが再推定されるとともに、前記アクティブラインの間の前記の再推定されたチャネルを使用することにより前記更新係数が獲得される。
【００３７】
第１の態様から第１の態様の第６の可能な実施方法に関連して、第７の可能な実施方法において、アクティブラインの間のクロストークキャンセル係数を更新するために使用される更新係数を獲得する前記ステップは、前記非アクティブ化実行状態より前の前記クロストークチャネル、及び／又は前記非アクティブ化実行状態より前の前記クロストークキャンセル係数を使用することにより前記更新係数を獲得するステップを含む。
【００３８】
第１の態様から第１の態様の第７の可能な実施方法に関連して、第８の可能な実施方法において、前記更新係数を使用することにより前記アクティブラインの間の前記クロストークキャンセル係数を更新するとともに、前記の非アクティブ化されたラインを非作動状態に入るように制御する前記ステップは、遠端の現在非アクティブ化されたトランシーバを前記サイレント状態又は前記アイドル状態に入るように制御するステップと、前記更新係数を使用することにより前記アクティブラインの間の前記クロストークキャンセル係数を更新するステップと、前記電話局端の前記の現在非アクティブ化されたトランシーバを前記サイレント状態又は前記アイドル状態に入るように制御するステップとを含む。
【００３９】
第２の態様によれば、本発明は、クロストークシナリオにおける非アクティブ化システムであって、当該システムが電話局端のＭ個のトランシーバと、キャンセラとを含み、データがＭ本のラインを使用することにより送信されるとともに、前記キャンセラを使用することにより前記Ｍ本のラインに対してクロストークキャンセルが実行される場合に、当該システムが、前記トランシーバがデータ伝送showtime状態にある場合に、もしトリガ状態変更イベントが検出されるならば、前記Ｍ本のラインのうちのＮ本のラインを非アクティブ化するために、Ｎ個のトランシーバが非アクティブ化実行状態に切り替わり、ここでＭ及びＮが正の整数であることと、前記キャンセラが、（Ｍ−Ｎ）本のアクティブラインの間のクロストークキャンセル係数を更新するために使用される更新係数を獲得し、前記更新係数を使用することにより前記（Ｍ−Ｎ）本のアクティブラインの間の前記クロストークキャンセル係数を更新するとともに、非アクティブ化を終了するために、前記非アクティブ化実行状態における前記トランシーバをサイレント状態又はアイドル状態に入るように制御することとを含む、クロストークシナリオにおける非アクティブ化システムを更に提供する。
【００４０】
第２の態様に関連して、第２の態様の第１の可能な実施方法において、前記トランシーバは、前記キャンセラを通過しなかったとともに、前記Ｎ本のラインのうちの各非アクティブ化されたラインに対応するダウンストリーム信号Ｘｄをターンオフし、前記Ｎ個のトランシーバのうちの各トランシーバのアナログフロントエンドを、信号を送信し続けるように制御するとともに、前記非アクティブ化実行状態に切り替わる。
【００４１】
第２の態様に関連して、第２の態様の第２の可能な実施方法において、前記トランシーバは、前記キャンセラを通過しなかったとともに、前記Ｎ本のラインのうちの各非アクティブ化されたラインに対応する信号Ｘｄをターンオフし、同時に、前記Ｎ本のラインのうちの各非アクティブ化されたラインに対応するアナログフロントエンドをターンオフするとともに、前記非アクティブ化実行状態に切り替わり、前記キャンセラは、前記（Ｍ−Ｎ）本のアクティブラインのキャンセル信号に対して信号補償を実行し、キャンセル出力信号Ｘａ’を生成するように更に構成される。
【００４２】
第２の態様に関連して、第２の態様の第３の可能な実施方法において、前記トランシーバは、前記Ｎ個のトランシーバのうちの各トランシーバのアナログフロントエンドを、アップストリーム信号を受信し続けるように制御するとともに、前記非アクティブ化実行状態に切り替わる。
【００４３】
第２の態様に関連して、第２の態様の第４の可能な実施方法において、前記トランシーバは、前記Ｎ本のラインのうちの各非アクティブ化されたラインに対応するアナログフロントエンドをターンオフするとともに、前記非アクティブ化実行状態に切り替わり、前記キャンセラは、前記（Ｍ−Ｎ）本のアクティブラインのキャンセル信号に対して信号補償を実行し、キャンセル出力信号Ｙａ’を生成するように更に構成される。
【００４４】
第２の態様から第２の態様の第４の可能な実施方法に関連して、第５の可能な実施方法において、前記キャンセラは、前記非アクティブ化実行状態より前のクロストークチャネル、及び／又は前記非アクティブ化実行状態より前の前記クロストークキャンセル係数を使用することにより前記更新係数を獲得するように更に構成される。
【００４５】
前述の技術的解決法のうちの１つ又は２つは、少なくとも下記の技術的効果を有する。
【００４６】
本発明により提供された方法及びシステムでは、Vectorシステムにおける他のラインの安定性に対する、非アクティブ化されたトランシーバの信号によりもたらされる影響を回避するために、トランシーバの状態変更は、クロストーク強力キャンセルマトリクスの更新と組み合わせられる。
【００４７】
トランシーバの状態変更の処理は、不連続モードと組み合わせられる。トランシーバのアナログフロントエンドＡＦＥは、電力を削減するために、不連続モードにおいて更に迅速にターンオフされ、一方、Vectorシステムにおける他のラインの安定性に対する、非アクティブ化されたトランシーバの信号によりもたらされる影響は回避される。
【図面の簡単な説明】
【００４８】
【図１】本発明の実施例１によるクロストークシナリオにおける非アクティブ化方法の概要のフローチャートである。
【図２】本発明の実施例２によるクロストークシナリオにおける非アクティブ化方法の概要のフローチャートである。
【図３】本発明の実施例３によるダウンストリーム方向のクロストークシナリオにおける非アクティブ化方法の第１の方法の概要のフローチャートである。
【図４】本発明の実施例４によるダウンストリーム方向のクロストークシナリオにおける非アクティブ化方法の第２の方法の概要のフローチャートである。
【図５】本発明の実施例５によるアップストリーム方向のクロストークシナリオにおける非アクティブ化方法の第１の方法の概要のフローチャートである。
【図６】本発明の実施例６によるアップストリーム方向のクロストークシナリオにおける非アクティブ化方法の第２の方法の概要のフローチャートである。
【図７】本発明の実施例によるクロストークシナリオにおける非アクティブ化システムの概略の構造図である。
【発明を実施するための形態】
【００４９】
本発明の実施例の目的、技術的解決法、及び利点をより明確にするために、下記は、本発明の実施例における添付図面を参照して、本発明の実施例における技術的解決法を明確かつ十分に説明する。明らかに、説明される実施例は本発明の実施例の全てではなく一部である。創作的な努力なしで本発明の実施例に基づいて当業者により獲得される他の全ての実施例は、本発明の保護範囲に含まれるものとする。
【００５０】
「実施例１」
図１において示されたように、本発明は、クロストークシナリオにおける非アクティブ化方法を提供し、電話局端のＭ個のトランシーバがＭ本のラインを使用することによりデータを送信するとともに、キャンセラを使用することによりＭ本のラインに対してクロストークキャンセルを実行する場合に、当該方法は下記のステップを含む。
【００５１】
ステップ１０１：Ｍ個のトランシーバがデータ伝送showtime状態にある場合に、もしトリガ状態変更イベントが検出されるならば、Ｍ本のラインのうちのＮ本のラインを非アクティブ化するために、Ｎ個のトランシーバが非アクティブ化実行状態に切り替わり、ここでＭ及びＮが正の整数である。
【００５２】
本発明のこの実施例において提供された非アクティブ化実行状態は、非アクティブ化処理が実行されている状態のことを指す。
【００５３】
状態変更は、トランシーバが再トレーニング規則を満たす場合にトリガされ得るか、又はユーザの制御の下でトリガされ得る。したがって、本発明のこの実施例では、状態変更は、もしトリガ状態変更イベントが下記の方法のうちのいずれか１つを含むならば、トリガされる。
【００５４】
Ａ：ラインを使用することによりデータが伝送される処理において、伝送されたデータのビットエラー量が指定されたしきい値を超える。例えば、リンクの正常な動作に影響を及ぼす深刻なビットエラーを検出する場合に、ＴＵ−Ｏ（局端トランシーバ、装置側に配置されるトランシーバ）又はＴＵ−Ｒ（ユーザ側に配置される、遠端トランシーバ）が非アクティブ化要求を開始する。
【００５５】
Ｂ：状態変更をトリガする命令が検出される。例えば、ユーザが、コマンドライン、ネットワーク管理システムなどを用いて、非アクティブ化命令を出す。
【００５６】
Ｃ：ＤＳＥイベント、例えばライン割り込み若しくは装置電源オフ。例えば、ユーザ側（ＴＵ−Ｒ）で電源が切られるか、又はいずれかのインタフェース上でユーザラインが切断される。このイベントはＴＵ−Ｏにより検出され得るとともに、非アクティブ化要求が開始される。
【００５７】
ステップ１０２：（Ｍ−Ｎ）本のアクティブラインの間のクロストークキャンセル係数を更新するために使用される更新係数を獲得し、更新係数を使用することにより（Ｍ−Ｎ）本のアクティブラインの間のクロストークキャンセル係数を更新するとともに、非アクティブ化を終了するために、非アクティブ化実行状態におけるトランシーバをサイレント状態又はアイドル状態に入るように制御する。
【００５８】
いくつかの非アクティブ化シナリオ（例えば、ＤＳＥ又はインピーダンス整合が非アクティブ化の後で変わる）では、いくつかのラインが非アクティブ化された後で、残っているラインの間のクロストークチャネルが変化する。この場合、Ｈａａ−ｎｅｗが再推定される必要がある。さらに、ＶＣＥに不必要な作業負荷をもたらさないように、その非アクティブ化が他のラインの間のチャネルにおける変化を引き起こすかどうかが判定される。
【００５９】
もし非アクティブ化が他のラインの間のチャネルにおける変化を引き起こすならば、続いてチャネルを更新し、そしてキャンセルマトリクスを再度更新する動作が実行される。そうでなければ、その処理は終了される。
【００６０】
通常、その非アクティブ化がＤＳＥ（Disorderly  Leaving  Event、無秩序な離脱イベント）方法において実行されるならば、そのチャネルは変化する。したがって、ＴＵ−Ｏ又はＶＣＥは判定を実行し得るとともに、もしその非アクティブ化がＤＳＥにより引き起こされるならば、ＴＵ−Ｏ又はＶＣＥは、アクティブラインの間のチャネルを更新し、Ｈａａ−ｎｅｗを獲得し、そしてＨａａ−ｎｅｗに従ってクロストークキャンセル係数を更新する必要がある。
【００６１】
本発明のこの実施例では、更新係数を使用することによりアクティブラインの間のクロストークキャンセル係数を更新するとともに、非アクティブ化されたラインを非作動状態に入るように制御するための最適な方法は、遠端の現在非アクティブ化されたトランシーバをサイレント状態又はアイドル状態に入るように制御すること、更新係数を使用することによりアクティブラインの間のクロストークキャンセル係数を更新すること、そして電話局端の現在非アクティブ化されたトランシーバをサイレント状態又はアイドル状態に入るように制御することであり得る。
【００６２】
「実施例２」
図２において示されたように、電話局端のＭ個のトランシーバがＭ本のラインを使用することによりデータを送信するとともに、キャンセラを使用することによりＭ本のラインに対してクロストークキャンセルを実行する場合に、本発明のこの実施例により提供された方法は、具体的な事例を参照して、更に詳細に説明される。
【００６３】
ステップ２０１：トランシーバがshowtime状態にある場合に、状態変更が、非アクティブ化処理に入るようにトリガされ、ここで、非アクティブ化処理は、具体的に、Ｍ本のラインのうちのＮ本のラインを非アクティブ化することである。
【００６４】
ステップ２０２：（Ｍ−Ｎ）本のアクティブラインの間の更新係数を獲得し、更新係数を使用することにより、（Ｍ−Ｎ）本のアクティブラインの間のクロストークキャンセル係数（Vector係数）を更新する。
【００６５】
（Ｍ−Ｎ）本のアクティブラインの間のクロストークキャンセル係数を更新することは、（Ｍ−Ｎ）本のアクティブラインのうちの各２つの間のクロストークキャンセル係数を更新することを指す。例えば、当初は１０本のラインがあり、２本のラインが非アクティブ化され、８本のラインが残される。更新された係数は、８×８のマトリクスＰである。Ｐ１２は２から１への係数であり、Ｐ１３は３から１への係数であり、・・・Ｐ２１は１から２への係数であり、Ｐ２３は３から２への係数である。
【００６６】
ステップ２０３：係数が更新された後で、非アクティブ化されたラインは、非アクティブ化を完了するためにアイドル状態（Ｌ３状態）に入る。
【００６７】
もちろん、具体的な実施の間、ステップ２０２とステップ２０３との間の順序は反転され得る。トランシーバはサイレント状態又はアイドル状態に設定され得るとともに、その場合に係数は更新される。
【００６８】
本発明のこの実施例では、更新係数の計算は、ベクタリング制御エンティティ（Vectoring  Control  Entity、ＶＣＥ）により実行される。非アクティブ化されたラインは、トランシーバがＶＣＥにより既に更新された係数を獲得した後でのみ、アイドル状態に入る。
【００６９】
非アクティブ化要求が開始される場合に、ＶＣＥはビジー状態（例えば、現在の係数更新が終わっていない）にあるかもしれない。この場合、ＶＣＥは、下記の処理方法のうちの１つにおいて係数更新を実施し得る。
【００７０】
（１）トランシーバの非アクティブ化要求を拒否する。この場合、トランシーバはＬ０状態に戻るか、又は特別なdeactivating状態になる。
【００７１】
（２）ＶＣＥは、トランシーバの要求に応答することを遅らせ、現在のタスクを処理した後でトランシーバの要求に従って係数更新動作を実行し、そして動作が完了した後でトランシーバに通知する。ＶＣＥが非アクティブ化要求に応答するのを待つ場合に、トランシーバは、非アクティブ化処理において待ち続ける。
【００７２】
ＶＣＥは、複数の方法において更新係数を獲得し得る。更新係数は、非アクティブ化実行状態より前のクロストークチャネル、及び／又は非アクティブ化実行状態より前のクロストークキャンセル係数を使用することにより獲得され得る。具体的な実施方法は、下記の方法のうちのいずれか１つであり得る。
【００７３】
方法１：更新係数は、非アクティブ化の前にＨマトリクスを使用することにより獲得される。
【００７４】
非アクティブ化の前のＨマトリクスは、
【数１４】
2016532407.tif 000016
のように表され得る。対応する（Ｍ−Ｎ）本のアクティブラインの間のキャンセルマトリクスＰａａ−ｎｅｗ（すなわち、更新係数）は、式Ｐａａ−ｎｅｗ＝Ｈａａ−１を使用することにより獲得され得る。
【００７５】
方法２：更新係数は、非アクティブ化の前にＰマトリクスを使用することにより獲得される。
【００７６】
非アクティブ化の前の完全なＰマトリクスは、
【数１５】
2016532407.tif 000017
のように表され得る。対応する（Ｍ−Ｎ）本のアクティブラインの間のキャンセルマトリクスＰａａ−ｎｅｗ（すなわち、更新係数）は、式
【数１６】
2016532407.tif 000018
を使用することにより獲得され得る。
【００７７】
方法３：更新係数は、非アクティブ化の前にＨマトリクス及びＰマトリクスを使用することにより獲得される。
【００７８】
（Ｍ−Ｎ）本のアクティブラインの間のキャンセルマトリクスＰａａ−ｎｅｗ（すなわち、更新係数）は、式
【数１７】
2016532407.tif 000019
を使用することにより獲得されることができ、ここで、Ｉは単位マトリクスである。
【００７９】
方法４：いくつかの非アクティブ化シナリオ（例えば、ＤＳＥ又はインピーダンス整合が非アクティブ化の後で変わる）では、いくつかのラインが非アクティブ化された後で、残っているラインの間のチャネルが変化する。この場合、Ｈａａ−ｎｅｗは再推定される必要がある。アクティブラインの間のＨマトリクスが再推定されるとともに、更新係数は、新しい推定されたマトリクスを使用することにより獲得される。
【００８０】
トリガ状態変更イベントが電話局端と遠端との間のチャネルにおける変化をもたらす非アクティブ化イベントである場合に、アクティブラインの間のクロストークチャネルが再推定されるとともに、アクティブラインの間の再推定されたチャネルを使用することにより更新係数が獲得される。
【００８１】
ＶＣＥは、新しいError  sampleを集めるようにアクティブラインに指示し、新しいError  sampleを使用することにより新しいチャネルＨａａ−ｎｅｗを推定し、次に、Ｐａａ−ｎｅｗ又はＷａａ−ｎｅｗを獲得するために、Ｈａａ−ｎｅｗに対して逆転を実行し、そして、そして、式Ｐａａ−ｎｅｗ＝Ｈａａ−ｎｅｗ−１を使用することにより、（Ｍ−Ｎ）本のアクティブラインの間のキャンセルマトリクスＰａａ−ｎｅｗ（すなわち、更新係数）を獲得する。
【００８２】
更新係数を獲得するための前述の方法のそれぞれでは、ダウンストリームクロストークキャンセルマトリックスＰが一例として使用される。具体的なアプリケーションにおいて、アップストリームクロストークキャンセルマトリクスＷａａ−ｎｅｗを更新する原理は、ダウンストリームクロストークキャンセルマトリクスを更新する原理と同じである。したがって、詳細は再度ここでは説明されない。
【００８３】
本発明のこの実施例により提供された方法をより詳細に説明するために、本発明の方法は、アップストリームの実施、ダウンストリームの実施、省エネルギー、及び非省エネルギーの方法の態様から詳細に下記で説明される。
【００８４】
「実施例３」
図３において示されたように、非アクティブ化処理において、そしてダウンストリーム方向において、本発明のこの実施例により提供された方法の第１の具体的な実施は下記のようになり得る。
【００８５】
Ｍ本のラインのうちのＮ本のラインを非アクティブ化するために、Ｎ個のトランシーバにより、非アクティブ化実行状態に切り替わるステップは、キャンセラを通過しなかったとともに、Ｎ本のラインのうちの各非アクティブ化されたラインに対応するダウンストリーム信号Ｘｄをターンオフし、Ｎ個のトランシーバのうちの各トランシーバのアナログフロントエンドを、信号を送信し続けるように制御するステップを含む。
【００８６】
Ｎ個のトランシーバの具体的な実行ステップは同じである。したがって、下記の実施ステップでは、単一のトランシーバが本発明の方法を説明するための一例として使用される。
【００８７】
ステップ３０１：キャンセラを通過しなかったとともに、非アクティブ化されたラインに対応する信号Ｘｄをターンオフする（Ｘｄは０になる）とともに、キャンセラを通過したとともに、非アクティブ化されたラインに対応する信号Ｘｄ’を送信し続ける。もしＸｄ’の送信が続けられる必要があるならば、非アクティブ化されたラインに対応するアナログフロントエンドＡＦＥは、オンのままである必要がある。
【００８８】
ステップ３０２：アクティブラインより前にクロストークキャンセルマトリクスＰａａ−ｎｅｗを更新する。
【００８９】
ステップ３０３：非アクティブ化されたラインに対応する局端トランシーバＴＵ−Ｏをターンオフし、それによりＴＵ−Ｏはサイレント状態又はアイドル状態に変わる。ＸｄとＸｄ’の両方がターンオフされるので、この場合、ＸｄとＸｄ’は両方とも０になり、非アクティブ化処理の実行は完了され、そしてラインはアイドル状態（Ｌ３状態）に入る。
【００９０】
「実施例４」
図４において示されたように、非アクティブ化処理において、そしてダウンストリーム方向において、本発明のこの実施例により提供された方法の第２の具体的な実施は下記のようになり得る。
【００９１】
実施例３は、非アクティブ化されたラインのアナログフロントエンドＡＦＥがオンのままであることを必要とする。したがって、全体の非アクティブ化処理の間のエネルギー消費は比較的高い。非アクティブ化処理の間のエネルギー消費を削減するために、下記の方法が使用され得る。Ｍ本のラインのうちのＮ本のラインを非アクティブ化するために、Ｎ個のトランシーバにより、非アクティブ化実行状態に切り替わるステップは、キャンセラを通過しなかったとともに、Ｎ本のラインのうちの各非アクティブ化されたラインに対応する信号Ｘｄをターンオフし、同時に、Ｎ本のラインのうちの各非アクティブ化されたラインに対応するアナログフロントエンドをターンオフするステップと、（Ｍ−Ｎ）本のアクティブラインのキャンセル信号に対して信号補償を実行し、キャンセル出力信号Ｘａ’を生成するステップとを含む。具体的な実施は下記のステップを含む。
【００９２】
ステップ４０１：キャンセラを通過しなかったとともに、非アクティブ化されたラインに対応する信号Ｘｄをターンオフするとともに、同時に、非アクティブ化されたラインに対応するアナログフロントエンドをターンオフする。アナログフロントエンドがターンオフされた後で、キャンセル後の信号Ｘｄ’は、同様に送信されることができず、ＸｄとＸｄ’は両方とも０になる。
【００９３】
この場合、残っているラインのキャンセル信号のエラーを回避するために、補償がＸａ’に対して行われる必要がある。多くの補償方法が存在するとともに、背景技術の欄において説明された補償方法が使用され得る。Ｘａ’は、式
【数１８】
2016532407.tif 000020
を使用することにより、そして非アクティブ化されたラインのシリアル番号に従って補償され得る。
【００９４】
ステップ４０２：アクティブラインより前にクロストークキャンセルマトリクスＰａａ−ｎｅｗを獲得する。
【００９５】
ステップ４０３：係数更新が完了された後で、非アクティブ化処理が完了され、非アクティブ化されたラインはアイドル状態（Ｌ３状態）に入る。
【００９６】
「実施例５」
図５において示されたように、非アクティブ化処理において、そしてアップストリーム方向において、本発明のこの実施例により提供された方法の第１の具体的な実施は下記のようになり得る。
【００９７】
Ｎ個のトランシーバにより、非アクティブ化実行状態に切り替わるステップは、Ｎ個のトランシーバのうちの各トランシーバのアナログフロントエンドを、アップストリーム信号を受信し続けるように制御するステップを含む。
【００９８】
ステップ５０１：局端トランシーバＴＵ−Ｏが、送信信号をターンオフするように遠端トランシーバＴＵ−Ｒに指示する。
【００９９】
ステップ５０２：ＴＵ−Ｒが送信信号をターンオフする。
【０１００】
ステップ５０３：ＴＵ−Ｒが送信信号をターンオフするということが判定された後で、更新係数Ｗａａ−ｎｅｗを適用する（すなわち、（Ｍ−Ｎ）本のアクティブラインの間のクロストークキャンセル係数が更新係数Ｗａａ−ｎｅｗを使用することにより更新される）。
【０１０１】
本発明のこの実施例では、ＴＵ−Ｒが送信信号をターンオフするということを判定するために、下記の方法のうちのいずれか１つが使用され得る。
【０１０２】
Ａ：ターンオフ命令を受信した後で、ＴＵ−Ｒは、メッセージを送信することによりＴＵ−Ｏに応答し、メッセージの後の決定された時点で送信信号をターンオフする。ＴＵ−Ｒからのターンオフ応答を受信した後で、ＴＵ−Ｏは、ＴＵ−Ｒが送信信号をターンオフするターンオフ時間を判定する。
【０１０３】
Ｂ：ターンオフ命令を受信した後で、ＴＵ−Ｒは、信号を直接的にターンオフする。ＴＵ−Ｏは、信号検出を開始し、そしてもしＴＵ−Ｒにより送信された信号が消失するということが発見されるならば、ＴＵ−Ｒが送信信号をターンオフするということが判定され得る。
【０１０４】
別の特別な場合、すなわち、無秩序なシャットダウンイベント（Disorderly  shutdown  event、ＤＳＥ）が存在する。ＴＵ−Ｒが電源を切られるか、又は加入者回線が切断されるので、ＴＵ−ＯはＴＵ−Ｒと通信することができない。この場合、アップストリーム非アクティブ化処理において、ＴＵ−Ｒが送信信号をターンオフするということが直接的に判定される。ＴＵ−Ｏは、検出を通して、ＴＵ−Ｒがオフであるということを判定し、そして次のステップが実行される。
【０１０５】
ステップ５０４：係数更新が完了された後で、全部のＴＵ−Ｏをターンオフし、非アクティブ化処理が完了される。
【０１０６】
「実施例６」
図６において示されたように、非アクティブ化処理において、そしてアップストリーム方向において、本発明のこの実施例により提供された方法の第２の具体的な実施は下記のようになり得る。
【０１０７】
Ｍ本のラインのうちのＮ本のラインを非アクティブ化するために、Ｎ個のトランシーバにより、非アクティブ化実行状態に切り替わるステップは、Ｎ本のラインのうちの各非アクティブ化されたラインのアナログフロントエンドをターンオフするステップと、（Ｍ−Ｎ）本のアクティブラインのキャンセル信号に対して信号補償を実行し、キャンセル出力信号Ｙａ’を生成するステップとを含む。
【０１０８】
前述の実施例５により提供された方法において、係数更新が完了された後でのみラインはターンオフされることができ、それは、省エネルギーのためには良くない。この実施例の方法は、省エネルギー方法を提供する。具体的な実施は下記のようになる。
【０１０９】
ステップ６０１：局端トランシーバＴＵ−Ｏが、送信信号をターンオフするように遠端トランシーバＴＵ−Ｒに指示する。
【０１１０】
ステップ６０２：ＴＵ−Ｒが送信信号をターンオフする。
【０１１１】
ステップ６０３：ＴＵ−Ｒが送信信号をターンオフするということが判定された後で、非アクティブ化されたラインのＴＵ−Ｏのアナログフロントエンドをターンオフする。
【０１１２】
この場合、アナログフロントエンドがターンオフされるので、キャンセラに入る非アクティブ化されたラインの信号Ｙｄは、既に獲得されることができず、全て０である。したがって、ＴＵ−Ｏのアナログフロントエンドがターンオフされる場合に、残っているラインの間のクロストークキャンセルを回避するために、キャンセル後のアクティブラインの信号Ｙａ’に対して補償が実行される必要がある。
【０１１３】
多くの補償方法が存在し得るとともに、背景技術の欄において説明された補償方法が使用され得る。Ｙａ’は、式
【数１９】
2016532407.tif 000021
を使用することにより、そして非アクティブ化されたラインのシリアル番号に従って補償され得る。
【０１１４】
ステップ６０４：更新係数Ｗａａ−ｎｅｗを適用する（すなわち、（Ｍ−Ｎ）本のアクティブラインの間のクロストークキャンセル係数が更新係数Ｗａａ−ｎｅｗを使用することにより更新される）。
【０１１５】
ステップ６０５：係数更新が完了された後で、非アクティブ化処理が完了され、非アクティブ化されたラインはＬ３（アイドル）状態に入る。
【０１１６】
図７において示されたように、本発明は、前述の方法によるクロストークシナリオにおける非アクティブ化システムであって、当該システムが電話局端のＭ個のトランシーバと、キャンセラとを含み、データがＭ本のラインを使用することにより送信されるとともに、キャンセラを使用することによりＭ本のラインに対してクロストークキャンセルが実行される場合に、当該システムが、トランシーバ７０１がデータ伝送showtime状態にある場合に、もしトリガ状態変更イベントが検出されるならば、Ｍ本のラインのうちのＮ本のラインを非アクティブ化するために、Ｎ個のトランシーバが非アクティブ化実行状態に切り替わり、ここでＭ及びＮが正の整数であることと、キャンセラ７０２が、（Ｍ−Ｎ）本のアクティブラインの間のクロストークキャンセル係数を更新するために使用される更新係数を獲得し、更新係数を使用することにより（Ｍ−Ｎ）本のアクティブラインの間のクロストークキャンセル係数を更新するとともに、非アクティブ化を終了するために、非アクティブ化実行状態におけるトランシーバをサイレント状態又はアイドル状態に入るように制御することとを含む、クロストークシナリオにおける非アクティブ化システムを更に提供する。
【０１１７】
キャンセラ７０２は、非アクティブ化実行状態より前のクロストークチャネル、及び／又は非アクティブ化実行状態より前のクロストークキャンセル係数を使用することにより更新係数を獲得するように更に構成される。
【０１１８】
本発明のこの実施例により提供されたシステムにおいて、非アクティブ化処理において、そしてダウンストリーム方向において、トランシーバは、具体的に、下記の牽引方法で非アクティブ化実行状態に切り替わり得る。
【０１１９】
方法１：ダウンストリーム普通モード。
【０１２０】
トランシーバ７０１は、キャンセラを通過しなかったとともに、Ｎ本のラインのうちの各非アクティブ化されたラインに対応するダウンストリーム信号Ｘｄをターンオフし、Ｎ個のトランシーバのうちの各トランシーバのアナログフロントエンドを、信号を送信し続けるように制御するとともに、非アクティブ化実行状態に切り替わる。
【０１２１】
方法２：ダウンストリーム省エネルギーモード。
【０１２２】
トランシーバ７０１は、キャンセラを通過しなかったとともに、Ｎ本のラインのうちの各非アクティブ化されたラインに対応する信号Ｘｄをターンオフし、同時に、Ｎ本のラインのうちの各非アクティブ化されたラインに対応するアナログフロントエンドをターンオフするとともに、非アクティブ化実行状態に切り替わり、キャンセラ７０２は、（Ｍ−Ｎ）本のアクティブラインのキャンセル信号に対して信号補償を実行し、キャンセル出力信号Ｘａ’を生成するように更に構成される。
【０１２３】
本発明のこの実施例により提供されたシステムにおいて、非アクティブ化処理において、そしてアップストリーム方向において、トランシーバは、具体的に、下記の牽引方法で非アクティブ化実行状態に切り替わり得る。
【０１２４】
方法１：アップストリーム普通モード。
【０１２５】
トランシーバ７０１は、Ｎ個のトランシーバのうちの各トランシーバのアナログフロントエンドを、アップストリーム信号を受信し続けるように制御するとともに、非アクティブ化実行状態に切り替わる。
【０１２６】
方法２：アップストリーム省エネルギーモード。
【０１２７】
トランシーバ７０１は、Ｎ本のラインのうちの各非アクティブ化されたラインのアナログフロントエンドをターンオフするとともに、非アクティブ化実行状態に切り替わり、キャンセラ７０２は、（Ｍ−Ｎ）本のアクティブラインのキャンセル信号に対して信号補償を実行し、キャンセル出力信号Ｙａ’を生成するように更に構成される。
【０１２８】
この出願の実施例の前述の技術的解決法のうちの１つ又は複数は、少なくとも下記の技術的効果を有する。
【０１２９】
本発明により提供された方法及びシステムでは、Vectorシステムにおける他のラインの安定性に対する、非アクティブ化されたトランシーバの信号によりもたらされる影響を回避するために、トランシーバの状態変更は、クロストーク強力キャンセルマトリクスの更新と組み合わせられる。
【０１３０】
トランシーバの状態変更の処理は、不連続モードと組み合わせられる。トランシーバのアナログフロントエンドＡＦＥは、電力を削減するために、不連続モードにおいて更に迅速にターンオフされ、一方、Vectorシステムにおける他のラインの安定性に対する、非アクティブ化されたトランシーバの信号によりもたらされる影響は回避される。
【０１３１】
都合が良くそして簡潔な記述のために、前述の機能モジュールの分割は例示のための一例とみなされる、ということが当業者によって明らかに理解され得る。実際のアプリケーションにおいて、前述の機能は異なる機能モジュールに割り当てられることができるとともに、必要条件に従って実施されることができ、すなわち、装置の内部構造は、上述の機能の全部又は一部を実施するために、異なる機能モジュールに分割される。前述のシステム、装置、及びユニットの詳細な作業処理については、前述の方法の実施例の対応する処理に対して参照が行われ得るとともに、詳細は再度ここでは説明されない。
【０１３２】
本願において提供されたいくらかの実施例において、開示されたシステム、装置、及び方法は他の様式で実施され得る、ということが理解されるべきである。例えば、説明された装置の実施例は、単に代表的である。例えば、モジュール若しくはユニットの分割は、単に論理的な機能の分割であるとともに、実際の実装例では他の分割であるかもしれない。例えば、複数のユニット又はコンポーネントは、別のシステムに結合され得るか若しくは統合され得るか、又は、いくつかの特徴は、無視され得るか若しくは実行されないかもしれない。さらに、表示されたか若しくは論じられた相互の結合又は直接的な結合又は通信接続は、いくつかインタフェースを通して実施され得る。装置若しくはユニットの間の間接的な結合又は通信接続は、電子的方式、機械的方式、又は他の方式において実施され得る。
【０１３３】
別個の部品として説明されるユニットは、物理的に分離しているかもしれないし、又は物理的に分離していないかもしれないとともに、ユニットとして表示される部品は、物理的なユニットであるかもしれないし、又は物理的なユニットでないかもしれず、１つの位置に位置付けられるかもしれないし、又は複数のネットワークユニットに対して分散されるかもしれない。いくつか又は全てのユニットは、実施例の解決法の目的を達成するために、実際のニーズに従って選択され得る。
【０１３４】
さらに、本願の実施例における機能ユニットは１つの演算処理装置に統合され得るか、又は、それぞれのユニットは物理的に単独で存在し得るか、又は、２つ以上のユニットは１つのユニットに統合される。統合されたユニットは、ハードウェアの形式で実施され得るか、又は、ソフトウェア機能ユニットの形式で実施され得る。
【０１３５】
統合されたユニットがソフトウェア機能ユニットの形式で実施されるとともに、独立した製品として販売されるか又は使用される場合に、統合されたユニットは、コンピュータ読み取り可能な記憶媒体に記憶され得る。そのような理解に基づくと、本願の技術的解決法は本質的に、又は、従来技術に貢献する部分は、又は、技術的解決法の全部若しくは一部は、ソフトウェア製品の形式で実施され得る。ソフトウェア製品は、記憶媒体に記憶されるとともに、コンピュータ装置（それはパーソナルコンピュータ、サーバ、若しくはネットワーク装置であり得る）又はプロセッサを、本願の実施例において説明された方法のステップの全部又は一部を実行するように制御するためのいくらかの命令を含む。前述の記憶媒体は、ＵＳＢフラッシュドライブ、リムーバブルハードディスク、読出し専用メモリ（ＲＯＭ、Read-Only  Memory）、ランダムアクセスメモリ（ＲＡＭ、Random  Access  Memory）、磁気ディスク、又は光ディスクのような、プログラムコードを記憶することができるあらゆる媒体を含む。
【０１３６】
前述の実施例は、単に本願の技術的解決法を説明するために使用される。前述の実施例は、単に本発明の方法及び中心的なアイデアを理解するのを支援することを意図しているとともに、本発明に対する限定として解釈されるべきではない。本発明において開示された技術的な範囲内の当業者によって容易に判断されるあらゆる変形又は置換は、本発明の保護範囲に含まれるものとする。
【図１】
2016532407.tif 000022
【図２】
2016532407.tif 000023
【図３】
2016532407.tif 000024
【図４】
2016532407.tif 000025
【図５】
2016532407.tif 000026
【図６】
2016532407.tif 000027
【図７】
2016532407.tif 000028
【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
クロストークシナリオにおける非アクティブ化方法であって、
電話局端のＭ個のトランシーバがＭ本のラインを使用することによりデータを送信するとともに、キャンセラを使用することにより前記Ｍ本のラインに対してクロストークキャンセルを実行する場合に、当該方法が、
前記Ｍ個のトランシーバがデータ伝送showtime状態にある場合に、もしトリガ状態変更イベントが検出されるならば、前記Ｍ本のラインのうちのＮ本のラインを非アクティブ化するために、Ｎ個のトランシーバにより、非アクティブ化実行状態に切り替わるステップであって、Ｍ及びＮが正の整数である、ステップと、
（Ｍ−Ｎ）本のアクティブラインの間のクロストークキャンセル係数を更新するために使用される更新係数を獲得し、前記更新係数を使用することにより前記（Ｍ−Ｎ）本のアクティブラインの間の前記クロストークキャンセル係数を更新するとともに、前記非アクティブ化実行状態における前記トランシーバをサイレント状態又はアイドル状態に入るように制御するステップとを含む、方法。
【請求項２】
前記Ｍ本のラインのうちのＮ本のラインを非アクティブ化するために、Ｎ個のトランシーバにより、非アクティブ化実行状態に切り替わる前記ステップが、
前記キャンセラを通過しなかったとともに、前記Ｎ本のラインのうちの各非アクティブ化されたラインに対応する信号Ｘｄをターンオフし、同時に、前記Ｎ本のラインのうちの各非アクティブ化されたラインに対応するアナログフロントエンドをターンオフするステップと、
前記（Ｍ−Ｎ）本のアクティブラインのキャンセル信号に対して信号補償を実行し、キャンセル出力信号Ｘａ’を生成するステップとを含む、請求項１に記載の方法。
【請求項３】
前記トリガ状態変更イベントが、
前記ラインを使用することによりデータが伝送される処理において、前記の伝送されたデータのビットエラー量若しくはビットエラー継続期間が指定されたしきい値を超えること、又は、
状態変更をトリガする命令が検出されること、又は、
ラインの割り込み若しくは装置の電源オフを含む、請求項１又は請求項２に記載の方法。
【請求項４】
アクティブラインの間のクロストークキャンセル係数を更新するために使用される更新係数を獲得する前記ステップが、
前記非アクティブ化実行状態より前のクロストークチャネル、及び／又は前記非アクティブ化実行状態より前の前記クロストークキャンセル係数を使用することにより前記更新係数を獲得するステップを含む、請求項１から請求項３のいずれかに記載の方法。
【請求項５】
前記更新係数を使用することにより前記アクティブラインの間の前記クロストークキャンセル係数を更新するとともに、前記非アクティブ化実行状態における前記の非アクティブ化されたラインを非作動状態に入るように制御する前記ステップが、
遠端の現在非アクティブ化されたトランシーバを前記サイレント状態又は前記アイドル状態に入るように制御するステップと、
前記更新係数を使用することにより前記アクティブラインの間の前記クロストークキャンセル係数を更新するステップと、
前記電話局端の前記の現在非アクティブ化されたトランシーバを前記サイレント状態又は前記アイドル状態に入るように制御するステップとを含む、請求項１から請求項４のいずれか一項に記載の方法。
【請求項６】
前記トリガ状態変更イベントが、前記ラインの間のクロストークチャネルにおける変化をもたらす非アクティブ化イベントである場合に、前記アクティブラインの間の前記クロストークチャネルが再推定されるとともに、前記アクティブラインの間の前記の再推定されたチャネルを使用することにより前記更新係数が獲得される、請求項３に記載の方法。
【請求項７】
前記Ｍ本のラインのうちのＮ本のラインを非アクティブ化するために、Ｎ個のトランシーバにより、非アクティブ化実行状態に切り替わる前記ステップが、
前記キャンセラを通過しなかったとともに、前記Ｎ本のラインのうちの各非アクティブ化されたラインに対応するダウンストリーム信号Ｘｄをターンオフし、前記Ｎ個のトランシーバのうちの各トランシーバのアナログフロントエンドを、信号を送信し続けるように制御するステップを含む、請求項１に記載の方法。
【請求項８】
Ｎ個のトランシーバにより、非アクティブ化実行状態に切り替わる前記ステップが、
前記Ｎ個のトランシーバのうちの各トランシーバのアナログフロントエンドを、アップストリーム信号を受信し続けるように制御するステップを含む、請求項１に記載の方法。
【請求項９】
前記Ｍ本のラインのうちのＮ本のラインを非アクティブ化するために、Ｎ個のトランシーバにより、非アクティブ化実行状態に切り替わる前記ステップが、
前記Ｎ本のラインのうちの各非アクティブ化されたラインに対応するアナログフロントエンドをターンオフするステップと、
前記（Ｍ−Ｎ）本のアクティブラインのキャンセル信号に対して信号補償を実行し、キャンセル出力信号Ｙａ’を生成するステップとを含む、請求項１に記載の方法。
【請求項１０】
クロストークシナリオにおける非アクティブ化システムであって、当該システムが電話局端のＭ個のトランシーバと、キャンセラとを備え、データがＭ本のラインを使用することにより送信されるとともに、前記キャンセラを使用することにより前記Ｍ本のラインに対してクロストークキャンセルが実行される場合に、
前記Ｍ個のトランシーバがデータ伝送showtime状態にある場合に、もしトリガ状態変更イベントが検出されるならば、前記Ｍ本のラインのうちのＮ本のラインを非アクティブ化するために、Ｎ個のトランシーバが、非アクティブ化実行状態に切り替わり、ここでＭ及びＮが正の整数であり、
前記キャンセラが、（Ｍ−Ｎ）本のアクティブラインの間のクロストークキャンセル係数を更新するために使用される更新係数を獲得し、前記更新係数を使用することにより前記（Ｍ−Ｎ）本のアクティブラインの間の前記クロストークキャンセル係数を更新するとともに、前記非アクティブ化実行状態における前記トランシーバをサイレント状態又はアイドル状態に入るように制御する、システム。
【請求項１１】
前記キャンセラが、前記非アクティブ化実行状態より前のクロストークチャネル、及び／又は前記非アクティブ化実行状態より前の前記クロストークキャンセル係数を使用することにより前記更新係数を獲得するように更に構成される、請求項１０に記載のシステム。
【請求項１２】
前記Ｎ個のトランシーバが、前記キャンセラを通過しなかったとともに、前記Ｎ本のラインのうちの各非アクティブ化されたラインに対応するダウンストリーム信号Ｘｄをターンオフし、前記Ｎ個のトランシーバのうちの各トランシーバのアナログフロントエンドを、信号を送信し続けるように制御するとともに、前記非アクティブ化実行状態に切り替わる、請求項１０又は請求項１１に記載のシステム。
【請求項１３】
前記Ｎ個のトランシーバが、前記キャンセラを通過しなかったとともに、前記Ｎ本のラインのうちの各非アクティブ化されたラインに対応する信号Ｘｄをターンオフし、同時に、前記Ｎ本のラインのうちの各非アクティブ化されたラインに対応するアナログフロントエンドをターンオフするとともに、前記非アクティブ化実行状態に切り替わり、
前記キャンセラが、前記（Ｍ−Ｎ）本のアクティブラインのキャンセル信号に対して信号補償を実行し、キャンセル出力信号Ｘａ’を生成するように更に構成される、請求項１０又は請求項１１に記載のシステム。
【請求項１４】
前記Ｎ個のトランシーバが、前記Ｎ個のトランシーバのうちの各トランシーバのアナログフロントエンドを、アップストリーム信号を受信し続けるように制御するとともに、前記非アクティブ化実行状態に切り替わる、請求項１０又は請求項１１に記載のシステム。
【請求項１５】
前記Ｎ個のトランシーバが、前記Ｎ本のラインのうちの各非アクティブ化されたラインに対応するアナログフロントエンドをターンオフするとともに、前記非アクティブ化実行状態に切り替わり、
前記キャンセラが、前記（Ｍ−Ｎ）本のアクティブラインのキャンセル信号に対して信号補償を実行し、キャンセル出力信号Ｙａ’を生成するように更に構成される、請求項１０又は請求項１１に記載のシステム。
【手続補正２】
【補正対象書類名】明細書
【補正対象項目名】００３１
【補正方法】変更
【補正の内容】
【００３１】
第１の態様に関連して、第１の可能な実施方法において、前記Ｍ本のラインのうちのＮ本のラインを非アクティブ化するために、Ｎ個のトランシーバにより、非アクティブ化実行状態に切り替わる前記ステップは、前記キャンセラを通過しなかったとともに、前記Ｎ本のラインのうちの各非アクティブ化されたラインに対応するダウンストリーム信号Ｘｄをターンオフし、前記Ｎ個のトランシーバのうちの各トランシーバのアナログフロントエンドを、信号を送信し続けるように制御するステップを含む。
【手続補正３】
【補正対象書類名】明細書
【補正対象項目名】００３４
【補正方法】変更
【補正の内容】
【００３４】
第１の態様に関連して、第４の可能な実施方法において、前記Ｍ本のラインのうちのＮ本のラインを非アクティブ化するために、Ｎ個のトランシーバにより、非アクティブ化実行状態に切り替わる前記ステップは、前記Ｎ本のラインのうちの各非アクティブ化されたラインに対応するアナログフロントエンドをターンオフするステップと、前記（Ｍ−Ｎ）本のアクティブラインのキャンセル信号に対して信号補償を実行し、キャンセル出力信号Ｙａ’を生成するステップとを含む。
【手続補正４】
【補正対象書類名】明細書
【補正対象項目名】００６０
【補正方法】変更
【補正の内容】
【００６０】
通常、その非アクティブ化がＤＳＥ（Disorderly  Shutdown  Event、無秩序なシャットダウンイベント）方法において実行されるならば、そのチャネルは変化する。したがって、ＴＵ−Ｏ又はＶＣＥは判定を実行し得るとともに、もしその非アクティブ化がＤＳＥにより引き起こされるならば、ＴＵ−Ｏ又はＶＣＥは、アクティブラインの間のチャネルを更新し、Ｈａａ−ｎｅｗを獲得し、そしてＨａａ−ｎｅｗに従ってクロストークキャンセル係数を更新する必要がある。
【手続補正５】
【補正対象書類名】明細書
【補正対象項目名】００６１
【補正方法】変更
【補正の内容】
【００６１】
本発明のこの実施例では、更新係数を使用することによりアクティブラインの間のクロストークキャンセル係数を更新するとともに、非アクティブ化実行状態における非アクティブ化されたラインを非作動状態に入るように制御するための最適な方法は、遠端の現在非アクティブ化されたトランシーバをサイレント状態又はアイドル状態に入るように制御すること、更新係数を使用することによりアクティブラインの間のクロストークキャンセル係数を更新すること、そして電話局端の現在非アクティブ化されたトランシーバをサイレント状態又はアイドル状態に入るように制御することであり得る。
【手続補正６】
【補正対象書類名】明細書
【補正対象項目名】００８１
【補正方法】変更
【補正の内容】
【００８１】
ＶＣＥは、新しいError  sampleを集めるようにアクティブラインに指示し、新しいError  sampleを使用することにより新しいチャネルＨａａ−ｎｅｗを推定し、次に、Ｐａａ−ｎｅｗ又はＷａａ−ｎｅｗを獲得するために、Ｈａａ−ｎｅｗに対して逆転を実行し、そして、式Ｐａａ−ｎｅｗ＝Ｈａａ−ｎｅｗ−１を使用することにより、（Ｍ−Ｎ）本のアクティブラインの間のキャンセルマトリクスＰａａ−ｎｅｗ（すなわち、更新係数）を獲得する。
【手続補正７】
【補正対象書類名】明細書
【補正対象項目名】０１１２
【補正方法】変更
【補正の内容】
【０１１２】
この場合、アナログフロントエンドがターンオフされるので、キャンセラに入る非アクティブ化されたラインの信号Ｙｄは、既に獲得されることができず、全て０である。したがって、ＴＵ−Ｏのアナログフロントエンドがターンオフされる場合に、残っているラインの間のクロストークを回避するために、キャンセル後のアクティブラインの信号Ｙａ’に対して補償が実行される必要がある。
【手続補正８】
【補正対象書類名】明細書
【補正対象項目名】０１１８
【補正方法】変更
【補正の内容】
【０１１８】
本発明のこの実施例により提供されたシステムにおいて、非アクティブ化処理において、そしてダウンストリーム方向において、トランシーバは、具体的に、下記の２つの方法で非アクティブ化実行状態に切り替わり得る。
【手続補正９】
【補正対象書類名】明細書
【補正対象項目名】０１２３
【補正方法】変更
【補正の内容】
【０１２３】
本発明のこの実施例により提供されたシステムにおいて、非アクティブ化処理において、そしてアップストリーム方向において、トランシーバは、具体的に、下記の２つの方法で非アクティブ化実行状態に切り替わり得る。
【手続補正１０】
【補正対象書類名】明細書
【補正対象項目名】０１２９
【補正方法】変更
【補正の内容】
【０１２９】
本発明により提供された方法及びシステムでは、Vectorシステムにおける他のラインの安定性に対する、非アクティブ化されたトランシーバの信号によりもたらされる影響を回避するために、トランシーバの状態変更は、クロストークキャンセルマトリクスの更新と組み合わせられる。
【国際調査報告】
2016532407.tif 000029
2016532407.tif 000030
2016532407.tif 000031
2016532407.tif 000032